(57)【特許請求の範囲】
【請求項１】
第１の拠点に設置される第１のネットワークアタッチトストレージ及び第１の端末と、
第２の拠点に設置される第２のネットワークアタッチトストレージ及び第２の端末と、
第３の拠点に設置される第３のネットワークアタッチトストレージ及び第３の端末と、
を備え、
前記第１の端末は、運用者により配付資源が登録されると、前記第１の端末に保持されている前記第１のネットワークアタッチトストレージのアドレスを参照して前記第１のネットワークアタッチトストレージに前記配付資源を登録し、前記第１のネットワークアタッチトストレージに保持されている前記第２のネットワークアタッチトストレージのアドレスを参照して前記第２のネットワークアタッチトストレージに前記配付資源を登録し、前記第２のネットワークアタッチトストレージに保持されている配付資源登録日時を前記配付資源の登録日時に更新し、前記第２のネットワークアタッチトストレージに保持されているフラグをオフからオンに更新し、
前記第２の端末は、前記第２の端末に保持されている保持資源登録日時が前記第２のネットワークアタッチトストレージに保持されている配付資源登録日時より古い場合、前記第２の端末に保持されている前記第２のネットワークアタッチトストレージのアドレスを参照して前記第２のネットワークアタッチトストレージに登録されている配付資源をダウンロードするとともに、前記第２の端末に保持されている保持資源登録日時を前記第２のネットワークアタッチトストレージに保持されている配付資源登録日時に更新し、前記第２のネットワークアタッチトストレージに保持されているフラグがオンである場合、前記第２のネットワークアタッチトストレージに保持されている前記第３のネットワークアタッチトストレージのアドレスを参照して前記第３のネットワークアタッチトストレージに保持されている配付資源を前記ダウンロードした配付資源に更新するとともに前記第３のネットワークアタッチトストレージに保持されている配付資源登録日時を前記第２の端末に保持されている保持資源登録日時に更新し、
前記第３の端末は、前記第３の端末に保持されている保持資源登録日時が前記第３のネットワークアタッチトストレージに保持されている配付資源登録日時より古い場合、前記第３の端末に保持されている前記第３のネットワークアタッチトストレージのアドレスを参照して前記第３のネットワークアタッチトストレージに登録されている配付資源をダウンロードするとともに、前記第３の端末に保持されている保持資源登録日時を前記第３のネットワークアタッチトストレージに保持されている配付資源登録日時に更新する
資源配付システム。
【請求項２】
第１の拠点に設置される第１のネットワークアタッチトストレージ及び第１の端末と、第２の拠点に設置される第２のネットワークアタッチトストレージ及び第２の端末と、第３の拠点に設置される第３のネットワークアタッチトストレージ及び第３の端末とを備える資源配付システムにおける資源配付方法であって、
前記第１の端末は、運用者により配付資源が登録されると、前記第１の端末に保持されている前記第１のネットワークアタッチトストレージのアドレスを参照して前記第１のネットワークアタッチトストレージに前記配付資源を登録し、前記第１のネットワークアタッチトストレージに保持されている前記第２のネットワークアタッチトストレージのアドレスを参照して前記第２のネットワークアタッチトストレージに前記配付資源を登録し、前記第２のネットワークアタッチトストレージに保持されている配付資源登録日時を前記配付資源の登録日時に更新し、前記第２のネットワークアタッチトストレージに保持されているフラグをオフからオンに更新し、
前記第２の端末は、前記第２の端末に保持されている保持資源登録日時が前記第２のネットワークアタッチトストレージに保持されている配付資源登録日時より古い場合、前記第２の端末に保持されている前記第２のネットワークアタッチトストレージのアドレスを参照して前記第２のネットワークアタッチトストレージに登録されている配付資源をダウンロードするとともに、前記第２の端末に保持されている保持資源登録日時を前記第２のネットワークアタッチトストレージに保持されている配付資源登録日時に更新し、前記第２のネットワークアタッチトストレージに保持されているフラグがオンである場合、前記第２のネットワークアタッチトストレージに保持されている前記第３のネットワークアタッチトストレージのアドレスを参照して前記第３のネットワークアタッチトストレージに保持されている配付資源を前記ダウンロードした配付資源に更新するとともに前記第３のネットワークアタッチトストレージに保持されている配付資源登録日時を前記第２の端末に保持されている保持資源登録日時に更新し、
前記第３の端末は、前記第３の端末に保持されている保持資源登録日時が前記第３のネットワークアタッチトストレージに保持されている配付資源登録日時より古い場合、前記第３の端末に保持されている前記第３のネットワークアタッチトストレージのアドレスを参照して前記第３のネットワークアタッチトストレージに登録されている配付資源をダウンロードするとともに、前記第３の端末に保持されている保持資源登録日時を前記第３のネットワークアタッチトストレージに保持されている配付資源登録日時に更新する
資源配付方法。
【発明の詳細な説明】
【技術分野】
【０００１】
本発明は、資源配付システム及び資源配付方法、特に、小規模ユーザ向けの資源配付システム及び資源配付方法に関する。
【背景技術】
【０００２】
現行の大規模な資源配付システムでは、全配付対象を統括して管理する資源配付サーバを使用し、資源配付サーバから各拠点の代表サーバ（資源配付中継サーバ）を経由し、ファイル等の資源配付を行っている。
【０００３】
資源配付に関する先行技術文献として、例えば、下記特許文献１及び２があり、特許文献１には、データ管理サーバ装置と、Ａ社管理ＰＣと、Ａ社管理ＮＡＳと、Ｂ社管理ＰＣと、Ｂ社管理ＮＡＳとを含んで構成されるバックアップシステムが提案されている。
【０００４】
又、特許文献２には、クライアントと、ＮＡＳスイッチ（中間装置）と、ＮＡＳ（ファイルサーバ）とからなる拠点が、広域ネットワークを介して接続されている資源配付システムが提案されている。
【先行技術文献】
【特許文献】
【０００５】
【特許文献１】特開２０１４−５６４２８号公報
【特許文献２】特開２００６−１６４２１１号公報
【発明の概要】
【発明が解決しようとする課題】
【０００６】
現行の大規模な資源配付システムでは、全拠点の全端末へ資源配付を行う場合は、各拠点をまとめるセンタ機器として、資源配付サーバが必要であった。
【０００７】
しかし、小規模ユーザでは、初期投資費用及びランニングコスト等の理由により、全拠点を統括する機器の設置場所の確保及びその機器を導入することが困難であり、そのため、全配付対象に資源を配付することが困難であった。更に、現行の方式では、拠点内の端末が多い場合などは、資源配付サーバと配付対象端末間の転送となるため、拠点間（センタと拠点の間）の通信負荷が大きく、拠点内に転送の中継機器となる資源配付中継サーバを設置する必要があった。
【０００８】
そこで、本発明は、初期投資費用及びランニングコストを安価に抑え、小規模ユーザも導入可能な資源配付システム、及び資源配付方法を提供することを目的とする。
【課題を解決するための手段】
【０００９】
本発明の第１側面の資源配付システムは、第１の拠点に設置される第１のネットワークアタッチトストレージ及び第１の端末と、第２の拠点に設置される第２のネットワークアタッチトストレージ及び第２の端末と、第３の拠点に設置される第３のネットワークアタッチトストレージ及び第３の端末とを備え、前記第１の端末は、運用者により配布資源が登録されると、前記第１の端末に保持されている前記第１のネットワークアタッチトストレージのアドレスを参照して前記第１のネットワークアタッチトストレージに前記配布資源を登録し、前記第１のネットワークアタッチトストレージに保持されている前記第２のネットワークアタッチトストレージのアドレスを参照して前記第２のネットワークアタッチトストレージに前記配布資源を登録し、前記第２のネットワークアタッチトストレージに保持されている配布資源登録日時を前記配付資源の登録日時に更新し、前記第２のネットワークアタッチトストレージに保持されているフラグをオフからオンに更新し、前記第２の端末は、前記第２の端末に保持されている保持資源登録日時が前記第２のネットワークアタッチトストレージに保持されている配布資源登録日時より古い場合、前記第２の端末に保持されている前記第２のネットワークアタッチトストレージのアドレスを参照して前記第２のネットワークアタッチトストレージに登録されている配布資源をダウンロードするとともに、前記第２の端末に保持されている保持資源登録日時を前記第２のネットワークアタッチトストレージに保持されている配布資源登録日時に更新し、前記第２のネットワークアタッチトストレージに保持されているフラグがオンである場合、前記第２のネットワークアタッチトストレージに保持されている前記第３のネットワークアタッチトストレージのアドレスを参照して前記第３のネットワークアタッチトストレージに保持されている配付資源を前記ダウンロードした配布資源に更新するとともに前記第３のネットワークアタッチトストレージに保持されている配布資源登録日時を前記第２の端末に保持されている保持資源登録日時に更新し、前記第３の端末は、前記第３の端末に保持されている保持資源登録日時が前記第３のネットワークアタッチトストレージに保持されている配布資源登録日時より古い場合、前記第３の端末に保持されている前記第３のネットワークアタッチトストレージのアドレスを参照して前記第３のネットワークアタッチトストレージに登録されている配布資源をダウンロードするとともに、前記第３の端末に保持されている保持資源登録日時を前記第３のネットワークアタッチトストレージに保持されている配布資源登録日時に更新する。
【００１０】
第２側面の資源配付方法は、第１の拠点に設置される第１のネットワークアタッチトストレージ及び第１の端末と、第２の拠点に設置される第２のネットワークアタッチトストレージ及び第２の端末と、第３の拠点に設置される第３のネットワークアタッチトストレージ及び第３の端末とを備える資源配布システムにおける資源配布方法であって、前記第１の端末は、運用者により配布資源が登録されると、前記第１の端末に保持されている前記第１のネットワークアタッチトストレージのアドレスを参照して前記第１のネットワークアタッチトストレージに前記配布資源を登録し、前記第１のネットワークアタッチトストレージに保持されている前記第２のネットワークアタッチトストレージのアドレスを参照して前記第２のネットワークアタッチトストレージに前記配布資源を登録し、前記第２のネットワークアタッチトストレージに保持されている配布資源登録日時を前記配付資源の登録日時に更新し、前記第２のネットワークアタッチトストレージに保持されているフラグをオフからオンに更新し、前記第２の端末は、前記第２の端末に保持されている保持資源登録日時が前記第２のネットワークアタッチトストレージに保持されている配布資源登録日時より古い場合、前記第２の端末に保持されている前記第２のネットワークアタッチトストレージのアドレスを参照して前記第２のネットワークアタッチトストレージに登録されている配布資源をダウンロードするとともに、前記第２の端末に保持されている保持資源登録日時を前記第２のネットワークアタッチトストレージに保持されている配布資源登録日時に更新し、前記第２のネットワークアタッチトストレージに保持されているフラグがオンである場合、前記第２のネットワークアタッチトストレージに保持されている前記第３のネットワークアタッチトストレージのアドレスを参照して前記第３のネットワークアタッチトストレージに保持されている配付資源を前記ダウンロードした配布資源に更新するとともに前記第３のネットワークアタッチトストレージに保持されている配布資源登録日時を前記第２の端末に保持されている保持資源登録日時に更新し、前記第３の端末は、前記第３の端末に保持されている保持資源登録日時が前記第３のネットワークアタッチトストレージに保持されている配布資源登録日時より古い場合、前記第３の端末に保持されている前記第３のネットワークアタッチトストレージのアドレスを参照して前記第３のネットワークアタッチトストレージに登録されている配布資源をダウンロードするとともに、前記第３の端末に保持されている保持資源登録日時を前記第３のネットワークアタッチトストレージに保持されている配布資源登録日時に更新する。
【発明の効果】
【００１１】
本発明の資源配付システムは、配付資源の配付を行う複数の拠点に対して、配付を行う拠点の順番が決められているシステムであり、各拠点毎に、配付資源の登録を受付けると共に配付資源とＮＡＳ情報とを保持し、配付資源を自拠点内の端末に順番に配付するＮＡＳと、自らの端末管理情報を保持し、自拠点内のＮＡＳに配付資源を登録すると共に、ＮＡＳから配付資源の配付を受付け、自拠点内で順番が最後に配付資源の配付を受付けると、配付の順番が次の拠点である次拠点のＮＡＳに配付資源を登録する端末と、を有している。本発明の資源配付システムは、現行の大規模ユーザ向けの資源配付システムで必要な資源配付サーバや資源配付中継サーバを必要としない。そのため、初期投資費用及びランニングコストを安価に抑え、小規模ユーザも導入可能な資源配付システム、及び資源配付方法を提供することが可能となる。
【図面の簡単な説明】
【００１２】
【図１】本発明の実施形態の資源配付システムの概略を示すシステム構成図
【図２】図１中のＮＡＳ管理情報と端末管理情報の例を示す図
【図３】現行の大規模ユーザ向け資源配付システムのシステム構成図
【図４】本発明の実施形態の資源配付の全体動作を説明する図
【図５】本発明の実施形態の資源登録動作を説明する図
【図６】本発明の実施形態の資源受信動作を説明する図
【図７】本発明の実施形態の資源次拠点展開動作を説明する図
【図８】本発明の実施形態の変形例の資源配付の全体動作を説明する図
【発明を実施するための形態】
【００１３】
以下に本発明の実施形態について図面を参照しながら詳細に説明する。
（システムの構成）
図１は、本発明の実施形態の資源配付システムの概略を示すシステム構成図である。
【００１４】
本発明の実施形態の資源配付システムは、各拠点、例えば、拠点Ａ〜拠点Ｃ毎に、ＮＡＳ１０，２０，３０と、端末１１，１２、２１，２２、３１，３２とをそれぞれ有している。ここで、ＮＡＳ(Network Attached Storage)とは、コンピュータネットワークに直接接続して使用するファイルサーバである。TCP/IPネットワークに直接接続して使用する補助記憶装置であり、その実体はコントローラとハードディスクから成るファイルサービス専用コンピュータである。
【００１５】
各拠点内のＮＡＳと端末とは、図示しないネットワークにより相互に接続されている。更に、自拠点内で最後に資源配付を受ける端末と次拠点のＮＡＳとは、図示しないネットワークにより相互に接続されている。
【００１６】
拠点Ａ内のＮＡＳ１０は、配付資源１０ａとＮＡＳ管理情報１０ｂとを保持している。又、拠点Ａ内の端末１１は、資源登録機能１１ａ及び資源受信機能１１ｂとを備え、端末管理情報１１ｃを保持している。拠点Ａ内の端末１２は、資源登録機能１２ａ及び資源受信機能１２ｂとを備え、端末管理情報１２ｃを保持している。
【００１７】
拠点ＢのＮＡＳ２０は、配付資源２０ａとＮＡＳ管理情報２０ｂとを保持している。又、拠点Ｂ内の端末２１は、資源登録機能２１ａ及び資源受信機能２１ｂとを備え、端末管理情報２１ｃを保持している。拠点Ｂ内の端末２２は、資源登録機能２２ａ及び資源受信機能２２ｂとを備え、端末管理情報２２ｃを保持している。
【００１８】
拠点Ｃについては、拠点Ａ及び拠点Ｂと同様であるので、説明を省略する。
端末１１が備える資源登録機能１１ａは、自拠点Ａ内のＮＡＳ１０に配付資源１０ａを登録する機能である。又、資源受信機能１１ｂは、自拠点Ａ内のＮＡＳ１０へアクセスし、ＮＡＳ１０のＮＡＳ管理情報１０ｂより配付資源登録日時を取得し、ＮＡＳ１０の配付資源登録日時より、端末１１の保持資源登録日時が古い場合は、ＮＡＳ１０の保持する配付資源１０ａを端末１１にダウンロードし、保持資源登録日時を配付資源登録日時に更新する機能である。
【００１９】
図２（ａ），（ｂ）は、図１中のＮＡＳ管理情報と端末管理情報の例を示す図である。
図２（ａ）に示されたように、ＮＡＳ管理情報は、次拠点ＮＡＳアドレス等の固定情報と、配付資源、配付資源登録日時、次拠点転送フラグ等の可変情報とから構成されている。
【００２０】
次拠点ＮＡＳアドレスとは、配付資源の転送先となる拠点に設置されるＮＡＳのＩＰアドレスであり、システムに含まれる全拠点が数珠繋ぎとなるように、予め設定されている。
【００２１】
図２（ｂ）に示されたように、端末管理情報は、接続先となる拠点内のＮＡＳのＩＰアドレス等の固定情報と、端末に適用されている最新配付資源の登録日時である保持資源登録日時等の可変情報とから構成されている。
【００２２】
図２に示された例では、ＮＡＳ管理情報の可変情報として「配付資源登録日時」及び端末管理情報の可変情報として「保持資源登録日時」が示されている。ＮＡＳ管理情報及び端末管理情報の可変情報は、両方の可変情報を対比することにより配付元の配付資源と配付先の保持する配付資源の新旧が判断できる情報であればよく、登録日時に限定されない。例えば、ＮＡＳ管理情報の「配付資源登録日時」及び端末管理情報の「保持資源登録日時」に替えて、「配付資源登録バージョン」及び「保持資源登録バージョン」としてもよい。
【００２３】
（実施形態の動作）
本発明の実施形態の資源配付方法の動作について、（Ｉ）現行の大規模ユーザ向け資源配付方法と、（II）本発明の実施形態の資源配付の全体動作と、(III)本発明の実施形態の資源登録動作と、（IV）本発明の実施形態の資源受信動作と、(Ｖ) 本発明の実施形態の資源次拠点展開動作と、に分けて説明する。
【００２４】
（Ｉ）現行の大規模ユーザ向け資源配付方法
図３は、現行の大規模ユーザ向け資源配付システムのシステム構成図である。
【００２５】
現行の大規模ユーザ向け資源配付システムは、運用センター内に、例えば、拠点Ａ〜Ｃ等の全拠点に配付資源ＳＧを配付する資源配付サーバ２００を有している。資源配付サーバ２００は、例えば、拠点Ａ，拠点Ｂ，拠点Ｃ内にそれぞれ設けられた資源配付中継サーバ１１０，１２０，１３０へ、配付資源ＳＧを配付する。
【００２６】
例えば、拠点Ａ内には、資源配付中継サーバ１１０と、３台の端末１１１，１１２，１１３が設けられている。資源配付中継サーバ１１０は、運用センター内の資源配付サーバ２００から配付された配付資源ＳＧを、拠点Ａ内の３台の端末１１１，１１２，１１３のそれぞれに配付する。
【００２７】
同様に、拠点Ｂ内の資源配付中継サーバ１２０は、運用センター内の資源配付サーバ２００から配付された配付資源ＳＧを、拠点Ｂ内の２台の端末１２１，１２２のそれぞれに配付する。更に、拠点Ｃ内の資源配付中継サーバ１３０は、運用センター内の資源配付サーバ２００から配付された配付資源ＳＧを、拠点Ｃ内の２台の端末１３１，１３２のそれぞれに配付する。
【００２８】
図３に示されたシステム構成図では、拠点Ａ，拠点Ｂ，拠点Ｃの３箇所の拠点しか描かれていないが、運用センター内の資源配付サーバ２００から、各拠点内の資源配付中継サーバを介して、例えば５０箇所の拠点に設置された全端末に対して、資源配付を行うことができる。
【００２９】
しかし、現行の大規模な資源配付システムでは、全拠点の全端末へ資源配付を行う場合は、高価な資源配付サーバ２００が必要であった。小規模ユーザでは、ランニングコスト等の理由から全拠点を統括する資源配付サーバ２００を設置できない。又、資源配付サーバ２００を設置する運用センターの場所がないユーザも多く、現行の大規模な資源配付システムの構成を採用することができなかった。
【００３０】
更に、現行の大規模な資源配付システムでは、拠点内の端末が多い場合などは、資源配付サーバ２００と配付対象端末間の転送となるため、拠点間（センタと拠点の間）の通信負荷が大きく、拠点内に転送の中継機器となる資源配付中継サーバ１１０，１２０，１３０等を設置する必要があった。
【００３１】
初期投資費用及びランニングコストを安価に抑え、小規模ユーザも導入可能な資源配付方法について、以下説明する。
【００３２】
（II）本発明の実施形態の資源配付の全体動作
図４は、本発明の実施形態の資源配付の全体動作を説明する図である。
【００３３】
拠点Ａ，拠点Ｂ，拠点Ｃの３箇所の各拠点に、ＮＡＳ１０，２０，３０がそれぞれ設置されている。拠点Ａには、３台の端末１１，１２，１３が設置され、拠点Ｂには、２台の端末２１，２２が設置され、拠点Ｃには、２台の端末３１，３２が設置されている。
【００３４】
拠点Ａ内の任意の１台の端末、例えば、端末１１から配付資源１１ｄをＮＡＳ１０に登録すると、ＮＡＳ１０に登録された配付資源１０ａが、拠点Ａ内の残りの２台の端末１２，１３に配付される。拠点Ａの端末１３に登録された配付資源１３ｄが、次拠点Ｂ内のＮＡＳ２０へ展開され、ＮＡＳ２０から拠点Ｂ内の２つの端末２１，２２へ配付される。拠点Ｂの端末２２から次拠点ＣのＮＡＳ３０へ展開され、ＮＡＳ３０から拠点Ｃ内の２つの端末３１，３２へ配付される。拠点Ｃの端末３２から資源配付を開始した拠点ＡのＮＡＳ１０へ展開される。
【００３５】
自拠点内のＮＡＳ１０から端末１２への資源配付では、配付先の端末１２の保持資源登録日時が配付元のＮＡＳ１０の配付資源登録日時より過去の日時である場合に、ＮＡＳ１０からの配付資源を端末１２に保存し、端末１２の保持資源登録日時をＮＡＳ１０の配付資源登録日時に更新する。
【００３６】
又、自拠点Ａ内で最後に資源配付を受ける端末１３から次拠点ＢのＮＡＳ２０への展開では、配付先の次拠点ＢのＮＡＳ２０の配付資源登録日時が自拠点Ａ内で最後に資源配付を受ける端末１３の保持資源登録日時より過去の日時である場合に、端末１３からの配付資源をＮＡＳ２０に保存し、ＮＡＳ２０の配付資源登録日時を端末１３の保持資源登録日時に更新する。
【００３７】
拠点Ｃ内で最後に資源配付を受ける端末３２から拠点ＡのＮＡＳ１０へ資源展開されるが、拠点Ａは、資源配付を開始した拠点であり、拠点ＡのＮＡＳ１０の配付資源登録日時は、端末３２の保持資源登録日時と同じ日時であるため、拠点Ｃ内の端末３２から拠点ＡのＮＡＳ１０へは資源展開されず、全端末への資源配付が終了する。
【００３８】
(III)本発明の実施形態の資源登録動作
図５は、後述する図８に示す実施形態の資源登録動作を説明する図である。
【００３９】
端末１１は、資源登録機能１１ａを有している。運用者が端末１１に配付資源１１ｄを登録すると（１）、資源登録機能１１ａは、端末管理情報１１ｃ中の接続先ＮＡＳアドレス＝XXX.XXX.a.001を参照して、ＩＰアドレス＝XXX.XXX.a.001であるＮＡＳ１０に、配付資源１１ｄを登録するとともに、端末管理情報１１ｃ中の接続先ＮＡＳアドレス＝XXX.XXX.b.001を参照して、ＩＰアドレス＝XXX.XXX.b.001であるＮＡＳ２０に、配付資源１１ｄを配付資源２０ａとして登録する（２）。その際、資源登録機能１１ａは、ＮＡＳ１０の保持するＮＡＳ管理情報１０ｂ中の配付資源登録日時を配付資源１１ｄの登録日時に更新するとともに、ＮＡＳ２０の保持するＮＡＳ管理情報２０ｂ中の配付資源登録日時を配付資源１１ｄの登録日時に更新する。また、資源登録機能１１ａは、ＮＡＳ管理情報２０ｂ中の次拠点転送フラグをオフ（ＯＦＦ）からオン（ＯＮ）に更新する（２）。尚、ＮＡＳ２０は、固定情報として、資源を展開する次拠点のＮＡＳ３０のＩＰアドレス＝XXX.XXX.c.001を保持しており、後述する資源次拠点展開動作の際に用いられる。
【００４０】
（IV）本発明の実施形態の資源受信動作
図６は、後述する図８に示す実施形態の資源受信動作を説明する図である。
【００４１】
拠点Ｂ内には、ＮＡＳ２０と、端末２２が設けられている。なお、拠点Ｂ内には、端末２２の他に端末２１も配置されているが、端末２２と同じ機能を有しているため、端末２１の動作説明を省略する。また、拠点Ｃ内に配置される端末３１、３２も端末２２と同じ機能を有しているものとする。端末２２は、定期的に起動する資源受信機能２２ｂを有している。端末２２の資源受信機能２２ｂが起動されると、自拠点Ｂ内のＮＡＳ２０へアクセスし、ＮＡＳ２０のＮＡＳ管理情報２０ｂより配付資源登録日時を取得する（１）。ＮＡＳ２０の配付資源登録日時より、端末２２の保持資源登録日時が古い場合は、ＮＡＳ２０の保持する配付資源２０ａを端末２２にダウンロードし、保持資源登録日時を配付資源登録日時に更新する（２）。
【００４２】
(Ｖ) 本発明の実施形態の資源次拠点展開動作
図７は、後述する図８に示す実施形態の資源次拠点展開動作を説明する図である。
【００４３】
拠点Ｂ内の端末２２が有する資源受信機能２２ｂは、起動すると、拠点Ｂ内のＮＡＳ２０にアクセスし、ＮＡＳ２０のＮＡＳ管理情報２０ｂより、次拠点転送フラグを取得する。次拠点転送フラグがオン（ＯＮ）の場合、次拠点転送フラグをオフ（ＯＦＦ）に更新し、次拠点ＮＡＳアドレス＝XXX.XXX.c.001を取得する（１）。
【００４４】
次に、資源受信機能２２ｂは、取得した次拠点ＮＡＳアドレス＝XXX.XXX.c.001に基づいて、次拠点Ｃ内のＮＡＳ３０へアクセスし、次拠点ＮＡＳ３０の配付資源３０ａを端末２２が保持する配付資源２２ｄに更新し、配付資源登録日時を保持資源登録日時に更新、及び次拠点Ｃ内のＮＡＳ３０の次拠点転送フラグをオン（ＯＮ）に更新する。
【００４５】
端末１１の資源登録機能１１ａによる配付資源登録後、各端末１２、１３、２１、２２、３１、３２にて、資源受信機能１１ｂが定期的に実行されることにより、各拠点内の全端末へ配付資源の展開が行われることになる。
【００４６】
（実施形態の効果）
本発明の実施形態の資源配付システムによれば、各拠点毎に、自拠点における登録された配付資源と各拠点のＮＡＳ管理情報を保持するＮＡＳと、自らの端末管理情報を保持する端末と、によりシステムを構築することができる。そして、端末は、自拠点内のＮＡＳに配付資源を登録し、又は自拠点内のＮＡＳから配付資源の配付を受け、自拠点内で最後に配付を受けた端末は、次拠点内のＮＡＳへ配付資源を展開することができる。これにより、初期投資費用及びランニングコストを安価に抑え、資源配付システムが小規模ユーザも導入可能になる。
【００４７】
更に、本発明の実施形態の資源配付方法によれば、各拠点に設置されたＮＡＳ及び端末の配付の順番を予め決めておき、配付資源を順番通りに数珠繋ぎに回覧版方式で配付する。そのため、どの端末からでも配付資源の配付を開始することができ、現行の大規模ユーザ向け資源配付システムに較べ、資源配付の自由度が格段に向上する。
【００４８】
（変形例）
図８は、本発明の実施形態の変形例の資源配付の全体動作を説明する図であり、図４と同じ要素には同じ符号が付されている。
【００４９】
図８に示された変形例の資源配付システムでは、図４中の端末１１に替えて、端末１１´が設けられている。端末１１´は、端末１１が有する資源登録機能１１ａに替えて、資源登録機能１１ａとは異なる資源登録機能１１ｅを有している。尚、変形例の資源配付の場合は、端末１１´の端末管理情報中の可変情報に、自拠点内ＮＡＳアドレスに加え、次拠点内のＮＡＳのＩＰアドレスである次拠点ＮＡＳアドレスも保持しているものとする。
【００５０】
資源登録機能１１ｅは、端末１１´に配付資源１１ｄが登録されると、端末管理情報の拠点内ＮＡＳアドレス及び次拠点ＮＡＳアドレスを参照して、自拠点Ａ内のＮＡＳ１０及び次拠点ＢのＮＡＳ２０に、配付資源１１ｄを登録すると共に、自拠点Ａ内のＮＡＳ１０が保持する配付資源登録日時及び次拠点内のＮＡＳ２０が保持する配付資源登録日時を更新する。次に、ＮＡＳ１０に登録された配付資源１０ａが、拠点Ａ内の残りの２台の端末１２，１３に配付されると共に、拠点Ｂ内のＮＡＳ２０に登録された配付資源２０ａが、拠点Ｂ内の残りの１台の端末２２に配付される。そして、端末２２に登録された配付資源２２ｄが、次拠点Ｃ内のＮＡＳ３０へ展開され、ＮＡＳ３０から拠点Ｃ内の２つの端末３１，３２へ配付される。更に、端末３２から次拠点へ展開され、以降、次拠点のＮＡＳを介して端末へと数珠繋ぎに次々と資源配付が行われ、全端末へ資源配付される。
【００５１】
本発明の変形例の資源配付システムによれば、端末１１´からの配付資源１１ｄの登録が自拠点ＡのＮＡＳ１０と次拠点ＢのＮＡＳ２０とに同時に行われる。また、ＮＡＳ１０から拠点Ａ内の端末１２，１３への資源配付と、ＮＡＳ２０から拠点Ｂ内の端末２１，２２への資源配付と、が同時に行われる。そのため、全端末への資源配付に要する時間を１拠点分短縮することができる。
【００５２】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００５３】
１０，２０，３０                                          ＮＡＳ
１０ａ，１１ｄ，１２ｄ，１３ｄ，２０ａ,２１ｄ，２２ｄ，   配付資源
３０ａ，３１ｄ，３２ｄ，ＳＧ                              配付資源
１０ｂ，２０ｂ，３０ｂ                                    ＮＡＳ管理情報
１１，１２，１３，２１，２２，３１，３２                  端末
１１ａ，１２ａ，２１ａ，２２ａ，３１ａ，３２ａ            資源登録機能
１１ｂ，１２ｂ，２１ｂ，２２ｂ，３１ｂ，３２ｂ            資源受信機能
１１ｃ，１２ｃ，２１ｃ，２２ｃ，３１ｃ，３２ｃ            端末管理情報
１１０，１２０，１３０                                    資源配付中継サーバ
１１１，１１２，１１３，１２１，１２２，１３１，１３２    端末
２００                                                    資源配付サーバ
【図１】
0006420718.tif 000002
【図２】
0006420718.tif 000003
【図３】
0006420718.tif 000004
【図４】
0006420718.tif 000005
【図５】
0006420718.tif 000006
【図６】
0006420718.tif 000007
【図７】
0006420718.tif 000008
【図８】
0006420718.tif 000009